(57)【特許請求の範囲】
【請求項１】
前後一対の上下のワイヤガイド部材と、この上下のワイヤガイド部材間に渡る一対の上下方向部分を有し、該上下方向部分において窓ガラス側に固定される駆動ワイヤと、該駆動ワイヤを一方で巻き取り他方で繰り出して窓ガラスを昇降させる正逆巻取駆動装置とを、車内側に露出する車両ドアの構成部材であるトリムに、車両ドアに取り付けられる前に組み付けたことを特徴とするワイヤ式ウィンドレギュレータユニット。
【請求項２】
請求項１記載のワイヤ式ウィンドレギュレータユニットにおいて、上記トリムの前後両端部に、窓ガラスの前縁部が係合する案内溝を有する前側ガイド部と、窓ガラスの後縁部が係合する案内溝を有する後側ガイド部とを一体成形により設けたワイヤ式ウィンドレギュレータユニット。
【発明の詳細な説明】
【０００１】
【技術分野】
本発明は、ワイヤ式ウィンドレギュレータユニットに関する。
【０００２】
【従来技術及びその問題点】
本出願人は、窓ガラスの昇降ガイドとしての機能を有する、ガイドレールと、このガイドレールに沿って摺動するキャリアプレートとを不要としたワイヤ式ウィンドレギュレータとして、車両ドア内の上方位置と下方位置に前後方向を向くブラケットを設けて、上下のブラケットの前後両端部にワイヤガイド部材を設けるとともに、上下のワイヤガイド部材間に上下方向部分が形成されるように上下のワイヤガイド部材に駆動ワイヤを巻回して、この駆動ワイヤをその上下方向部分において窓ガラス側に固定し、この駆動ワイヤを正逆巻取駆動装置により一方で巻き取り他方で繰り出すことで窓ガラスを昇降させるワイヤ式ウィンドレギュレータを開発している。窓ガラスの前後位置は、例えばドアサッシュ等のガイド部材で案内する。
【０００３】
このワイヤ式ウィンドレギュレータは、車両ドアのパネルに、ワイヤ式ウィンドレギュレータの構成部品であるブラケット、ワイヤガイド部材、駆動ワイヤ、正逆巻取駆動装置をそれぞれ取り付けることにより、車両ドアに取り付けられている。
【０００４】
しかし、このようにワイヤ式ウィンドレギュレータの各構成部品を一つずつパネルに取り付ける方法では、ワイヤ式ウィンドレギュレータの車両ドアへの組付作業に長時間を要するとともに、その作業が面倒であった。
【０００５】
また、ワイヤガイド部材をパネルに取り付けるためのブラケットが必要になるため、部品点数が多くなり、製造コストの上昇の原因となっていた。
【０００６】
【発明の目的】
本発明は、ワイヤ式ウィンドレギュレータを車両ドアに短時間、かつ簡単に組み付けることができるとともに、部品点数の削減を図ったワイヤ式ウィンドレギュレータユニットを提供することを目的とする。
【０００７】
【発明の概要】
本発明のワイヤ式ウィンドレギュレータユニットは、前後一対の上下のワイヤガイド部材と、この上下のワイヤガイド部材間に渡る一対の上下方向部分を有し、該上下方向部分において窓ガラス側に固定される駆動ワイヤと、該駆動ワイヤを一方で巻き取り他方で繰り出して窓ガラスを昇降させる正逆巻取駆動装置とを、車内側に露出する車両ドアの構成部材であるトリムに、車両ドアに取り付けられる前に組み付けたことを特徴としている。
【００１０】
上記トリムの前後両端部に、窓ガラスの前縁部が係合する案内溝を有する前側ガイド部と、窓ガラスの後縁部が係合する案内溝を有する後側ガイド部とを一体成形により設けるのが好ましい。
【００１１】
【発明の実施の形態】
以下、本発明の一実施形態について添付図面を参照しながら説明する。
なお、以下の説明中の方向は、図１の左斜め上側を「前方」とし、右斜め下側を「後方」とする。
【００１２】
車両ドア１は、窓開口２ａが設けられたアウターパネル２の内面に、側面視Ｕ字形をなすインナーパネル３を固定したものであり、アウターパネル２とインナーパネル３によって囲まれた空間には横長方形をなす収納部４が形成されている。
【００１３】
合成樹脂製の板材であるモジュラーパネル（パネル）５の外面（車外側の面）の前後両端部には、上下方向を向くガイド部（前側ガイド部、後側ガイド部）５ａが連設されており、両ガイド部５ａには窓ガラス６の前後両縁部が係合する案内溝５ｂが設けられている。
このモジュラーパネル５は、収納部４に配置されるドア機能部品（ドアロック機構（図示略）や後述するワイヤ式ウィンドレギュレータＲ）が装着された状態でインナーパネル３の内面に取り付けられるものである。
【００１４】
モジュラーパネル５の外面の上部と下部には、それぞれ２つのプーリ（ワイヤガイド部材）７、８と１つのプーリ（ワイヤガイド部材）９がピン７ａ、８ａ、９ａにより枢着されており、下部のプーリ９の後方には、非回転ワイヤガイド部材（ワイヤガイド部材）１０が回転不能に固定されている。
【００１５】
モジュラーパネル５の外面の前部には、回転自在な巻取ドラム１１を具備する正逆巻取駆動装置１２が取り付けられている。
【００１６】
３つのプーリ７、８、９、非回転ワイヤガイド部材１０、及び巻取ドラム１１には、無端状の駆動ワイヤＷが巻回されており、駆動ワイヤＷのプーリ７とプーリ９の間に位置する上下方向部分Ｗ１とプーリ８と非回転ワイヤガイド部材１０の間に位置する上下方向部分Ｗ２は互いに平行をなしている。
【００１７】
前後の上下方向部分Ｗ１、Ｗ２の互いに等高をなす箇所にはワイヤ固定部材１３が固定されている。
【００１８】
以上説明した各プーリ７、８、９、非回転ワイヤガイド部材１０、正逆巻取駆動装置１２、駆動ワイヤＷ、ワイヤ固定部材１３によりワイヤ式ウィンドレギュレータＲが構成されており、ワイヤ式ウィンドレギュレータＲとモジュラーパネル５によりワイヤ式ウィンドレギュレータユニットＵが構成されている。
【００１９】
窓ガラス６の前後両縁部を案内溝５ｂに係合するとともに、窓ガラス６の下縁部に固着した前後一対のブラケット１４を前後のワイヤ固定部材１３にそれぞれ固定することにより、窓ガラス６はワイヤ式ウィンドレギュレータユニットＵに組み込まれる。
【００２０】
窓ガラス６が組み込まれたワイヤ式ウィンドレギュレータユニットＵは、車両ドア１の収納部４に嵌合された後、図示を省略したネジにより車両ドア１に固定される。
【００２１】
最後に、合成樹脂製のトリム１５を車両ドア１の内面にネジ（図示略）止めする。
このトリム１５は、車両ドア１の内面に取り付けられることにより、インナーパネル３、モジュラーパネル５、及びモジュラーパネル５に取り付けられたドア機能部品を覆い隠して、車両ドア１内面の見栄えの向上等を図るものである。
【００２２】
このような本実施形態によれば、モジュラーパネル５にワイヤ式ウィンドレギュレータＲを予め取り付けてワイヤ式ウィンドレギュレータユニットＵを構成した後、このワイヤ式ウィンドレギュレータユニットＵを車両ドア１に取り付けるので、ワイヤ式ウィンドレギュレータＲを車両ドア１に短時間、かつ簡単に組み付けることができる。
【００２３】
また、モジュラーパネル５にプーリ７、８、９と非回転ワイヤガイド部材１０を直接取り付けているので、従来必要だったブラケットが不要となり、部品点数の削減を図ることができる。
【００２４】
なお、モジュラーパネル５の上端部には図示を省略した補強材が設けられており、この補強材により、インナーパネル３の上部が強度的に補強されている。
【００２５】
また、本実施形態ではワイヤ式ウィンドレギュレータＲをモジュラーパネル５に取り付けているが、ワイヤ式ウィンドレギュレータＲを予めトリム１５に取り付けて、このように構成したワイヤ式ウィンドレギュレータユニットを車両ドア１に組み付けるようにしてもよい。
このようにすれば、モジュラーパネル５を省略できるので、部品点数をさらに削減できるとともに、組立工数を少なくすることができる。
【００２６】
【発明の効果】
本発明によれば、ワイヤ式ウィンドレギュレータを車両ドアに短時間、かつ簡単に組み付けることができるとともに、部品点数の削減を図ることができる。
また、本発明のワイヤ式ウィンドレギュレータは、以前のウィンドレギュレータに必要だったガイドレールやキャリアプレート等を省略してあるため軽量化されている。
【図面の簡単な説明】
【図１】  本発明の一実施形態の全体構造を示す分解斜視図である。
【図２】  同じく、ワイヤ式ウィンドレギュレータユニットと窓ガラスを車両ドアに組み付けた状態を示す、一部を破断した側面図である。
【符号の説明】
１  車両ドア
２  アウターパネル
２ａ  窓開口
３  インナーパネル
４  収納部
５  モジュラーパネル（パネル）
５ａ  ガイド部（前側ガイド部、後側ガイド部）
５ｂ  案内溝
６  窓ガラス
７  プーリ（ワイヤガイド部材）
７ａ  ピン
８  プーリ（ワイヤガイド部材）
８ａ  ピン
９  プーリ（ワイヤガイド部材）
９ａ  ピン
１０  非回転ワイヤガイド部材（ワイヤガイド部材）
１１  巻取ドラム
１２  正逆巻取駆動装置
１３  ワイヤ固定部材
１４  ブラケット
１５  トリム
Ｒ  ワイヤ式ウィンドレギュレータ
Ｕ  ワイヤ式ウィンドレギュレータユニット
Ｗ  駆動ワイヤ
Ｗ１  上下方向部分
Ｗ２  上下方向部分
【図１】
0003850227.tif 000002
【図２】
0003850227.tif 000003